(57)【要約】【課題】反射型表示装置の劣化を抑制し、かつ、良好な表示書き換えを行うことができる反射型表示装置の駆動方法を提供すること。【解決手段】温度検出部によって第１の温度を検出する。第１の温度の検出から第１の所定時間の経過後に、温度検出部によって第２の温度を再検出する。第１の温度と第２の温度との差、または、前記第１の温度と前記第２の温度との差の単位時間当たりの変化量が、所定の範囲内であるか否かを判定する。所定の範囲内であると判定された場合に、第２の温度に基づいて駆動シーケンスを決定し、当該駆動シーケンスに従って、前記２枚の基板間に所望の表示の内容に応じて電界を与えて表示を書き換える。前記所定の範囲内であると判定されなかった場合には、表示書き換えを行わない。【選択図】図１
2016014835.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をし、温度検出部を備える反射型表示装置の駆動方法であって、
前記温度検出部によって第１の温度を検出する第１の温度検出工程と、
前記第１の温度検出工程による前記第１の温度の検出から第１の所定時間の経過後に、前記温度検出部によって第２の温度を再検出する第２の温度検出工程と、
前記第１の温度と前記第２の温度との差、または、前記第１の温度と前記第２の温度との差の単位時間当たりの変化量が、所定の範囲内であるか否かを判定する判定工程と、
前記判定工程において前記所定の範囲内であると判定された場合に、前記第２の温度に基づいて駆動シーケンスを決定し、当該駆動シーケンスに従って、前記２枚の基板間に所望の表示の内容に応じて電界を与えて表示を書き換える表示書き換え工程と、
前記判定工程において前記所定の範囲内であると判定されなかった場合に、表示書き換えを行うことなく、前記第２の温度検出工程の前記第２の温度の検出から第２の所定時間の経過後に、前記温度検出部によって第３の温度を再検出し、前記第１の温度に前記第２の温度を置き換え、前記第２の温度に前記第３の温度を置き換えて、前記判定工程に戻る書き換えスキップ制御工程と、
を備えることを特徴とする反射型表示装置の駆動方法。
【請求項２】
前記判定工程が、前記第１の温度と前記第２の温度との差が所定の範囲内であるか否かを判定する場合、当該所定の範囲は、０℃以上５℃以下の範囲に設定される
ことを特徴とする請求項１に記載の反射型表示装置の駆動方法。
【請求項３】
前記第１の所定時間と前記第２の所定時間とは、同じ長さである
ことを特徴とする請求項１または２に記載の反射型表示装置の駆動方法。
【請求項４】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする反射型表示装置であって、
温度検出部と、
前記温度検出部が検出する第１の温度と、前記温度検出部が前記第１の温度の検出から第１の所定時間の経過後に再検出する第２の温度と、の差、または、前記第１の温度と前記第２の温度との差の単位時間当たりの変化量、が、所定の範囲内であるか否かを判定し、前記所定の範囲内であると判定した場合に、前記第２の温度に基づいて駆動シーケンスを決定し、当該駆動シーケンスに従って、前記２枚の基板間に所望の表示の内容に応じて電界を与えて表示を書き換え、前記所定の範囲内であると判定しなかった場合に、表示書き換えを行わず、前記温度検出部の前記第２の温度の検出から第２の所定時間の経過後に、前記温度検出部に第３の温度を再検出させ、前記第１の温度に前記第２の温度を置き換え、前記第２の温度に前記第３の温度を置き換えて、前記の判定を再実行する制御部と、
を備えたことを特徴とする反射型表示装置。
【請求項５】
前記制御部が、前記第１の温度と前記第２の温度との差が所定の範囲内であるか否かを判定する場合、当該所定の範囲は、０℃以上５℃以下の範囲に設定される
ことを特徴とする請求項４に記載の反射型表示装置。
【請求項６】
前記第１の所定時間と前記第２の所定時間とは、同じ長さである
ことを特徴とする請求項４または５に記載の反射型表示装置。
【発明の詳細な説明】
【技術分野】
【０００１】
本発明は、電子ペーパー等に応用されている反射型表示装置の駆動方法及び反射型表示装置に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
より詳細に説明すれば、電子ペーパーの表示素子として、電位状態についてメモリー性を有する表示素子を利用できるため、電圧などのエネルギーを供給し続けなくても、画像データに応じた表示状態を維持できる。一般的には、電子ペーパーの表示素子として、気中移動型、電気泳動粒子型、２色回転粒子型が知られている。これらは、電圧を付与することでセル内の電荷粒子の状態を変化させ、そのことによって表示状態を可変とすることができる。一方、電圧の付与を止めても、その表示状態を長時間に亘って維持できる。
【０００５】
これらの方式では、電圧を印加して電荷粒子を電気的に動かすことで、電荷粒子の位置や向きを変えている。従って、原理的に電場に対する応答性が極めて高く、すなわち、外部環境に非常に敏感である。このため、これらの方式を採用した表示装置は、当該装置周辺の温度ないし湿度の影響を受けやすい。
【０００６】
従来は、駆動シーケンスの信号パターンが固定されていたため、外部環境の変化等によって電場応答性が変わってしまった場合には、最適な表示状態を得ることができず、すなわち、コントラストが低かったり、所望の反射率を実現できなかったり、といった光学的不具合が発生していた。
【０００７】
そこで、センサを表示装置に搭載して外部環境の情報を取得し、それに応じて駆動シーケンスを直接的に補正することが提案されている（特許文献１、特許文献２）。
【先行技術文献】
【特許文献】
【０００８】
【特許文献１】特許第４１９６６１５号
【特許文献２】特開２０１１−１９７５１３号公報
【発明の概要】
【発明が解決しようとする課題】
【０００９】
特許文献１及び特許文献２には、表示装置の外部環境の情報の取得手段として温度センサを用いることが開示されている。この場合、温度センサが検出した外部環境の温度に基づき駆動シーケンスが決定され、その後、決定された駆動シーケンスによって表示の書き換えが行われる。
【００１０】
しかしながら、例えば、表示装置の外部環境の温度変化が急激な状況下においては、表示装置の表示媒体の温度変化の追従が間に合わず、外部環境の温度と表示装置の表示媒体の温度との差が大きくなってしまうことがある。この結果、表示書き換え時に、温度センサが検出した外部環境の温度に基づいて決定された駆動シーケンスに従って電圧が印加されると、表示装置の表示媒体の温度にとっては、当該印加される電圧が過剰に大きかったり、逆に過剰に小さかったりする場合がある。印加される電圧が過剰に大きいと表示装置の劣化が進行し、また、印加される電圧が過剰に小さいと良好な表示書き換えを行うことができない。
【００１１】
本発明は、このような事情に基づいて行われたものであり、その目的は、表示書き換え時に、反射型表示装置の表示媒体の温度にとって、過大ないし過小な電圧が印加されることを防止し、反射型表示装置の劣化を抑制し、かつ、良好な表示書き換えを行うことができる反射型表示装置の駆動方法及び反射型表示装置を提供することである。
【課題を解決するための手段】
【００１２】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をし、温度検出部を備える反射型表示装置の駆動方法であって、前記温度検出部によって第１の温度を検出する第１の温度検出工程と、前記第１の温度検出工程による前記第１の温度の検出から第１の所定時間の経過後に、前記温度検出部によって第２の温度を再検出する第２の温度検出工程と、前記第１の温度と前記第２の温度との差、または、前記第１の温度と前記第２の温度との差の単位時間当たりの変化量が、所定の範囲内であるか否かを判定する判定工程と、前記判定工程において前記所定の範囲内であると判定された場合に、前記第２の温度に基づいて駆動シーケンスを決定し、当該駆動シーケンスに従って、前記２枚の基板間に所望の表示の内容に応じて電界を与えて表示を書き換える表示書き換え工程と、前記判定工程において前記所定の範囲内であると判定されなかった場合に、表示書き換えを行うことなく、前記第２の温度検出工程の前記第２の温度の検出から第２の所定時間の経過後に、前記温度検出部によって第３の温度を再検出し、前記第１の温度に前記第２の温度を置き換え、前記第２の温度に前記第３の温度を置き換えて、前記判定工程に戻る書き換えスキップ制御工程と、を備えることを特徴とする反射型表示装置の駆動方法である。
【００１３】
前記判定工程が、前記第１の温度と前記第２の温度との差が所定の範囲内であるか否かを判定する場合、当該所定の範囲は、０℃以上５℃以下の範囲に設定されることが好ましい。
【００１４】
前記第１の所定時間と前記第２の所定時間とは、同じ長さに設定されることが好ましい。
【００１５】
また、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする反射型表示装置であって、温度検出部と、前記温度検出部が検出する第１の温度と、前記温度検出部が前記第１の温度の検出から第１の所定時間の経過後に再検出する第２の温度と、の差、または、前記第１の温度と前記第２の温度との差の単位時間当たりの変化量、が所定の範囲内であるか否かを判定し、前記所定の範囲内であると判定した場合に、前記第２の温度に基づいて駆動シーケンスを決定し、当該駆動シーケンスに従って、前記２枚の基板間に所望の表示の内容に応じて電界を与えて表示を書き換え、前記所定の範囲内であると判定しなかった場合に、表示書き換えを行わず、前記温度検出部の前記第２の温度の検出から第２の所定時間の経過後に、前記温度検出部に第３の温度を再検出させ、前記第１の温度に前記第２の温度を置き換え、前記第２の温度に前記第３の温度を置き換えて、前記の判定を再実行する制御部と、を備えたことを特徴とする反射型表示装置である。
【発明の効果】
【００１６】
本発明によれば、表示書き換え時に、反射型表示装置の表示媒体の温度にとって、過大ないし過小な電圧が印加されることを防止し、反射型表示装置の劣化を抑制し、かつ、良好な表示書き換えを行うことができる反射型表示装置の駆動方法及び反射型表示装置を提供することができる。
【図面の簡単な説明】
【００１７】
【図１】本発明の一実施の形態による反射型表示装置の構成を概略的に示す断面図である。
【図２】図１に示す反射型表示装置の電極配置の一例を概略的に示す図である。
【図３】図１に示す反射型表示装置の温度検出部が検出する温度に対応して、当該反射型表示装置が決定する駆動シーケンスの一例を示した図である。
【図４】本発明の一実施の形態による表示書き換え処理を示すフロー図である。
【図５】図３に示す駆動シーケンスの変形例を示した図である。
【発明を実施するための形態】
【００１８】
図１は、本発明の一実施の形態による反射型表示装置の構成を概略的に示す断面図である。本実施の形態による反射型表示装置は、少なくとも一方が透光性を有しており各々電極１１１，１６１が形成されている対向する２枚の基板間１１，１６に、少なくとも１種以上の電気応答性材料を含む表示媒体１３が封入されていて、２枚の基板１１，１６間に所定の電界が与えられる際に表示媒体１３が所望の表示をするようになっている。ここで、本件の明細書及び特許請求の範囲において「透光性」とは、光を透過する性質、という程度の意味である。本実施の形態においては、視認側に配置される基板（一方の基板１１）は、全光透過率が５０％以上、好ましくは８０％以上、さらに好ましくは９０％以上となるような透光性を有している。
【００１９】
本実施の形態においては、一方の基板１１と他方の基板１６との間に、少なくとも表示領域を覆う共通電極１１１と、表示媒体１３が配置された表示媒体層１５と、マトリクス状に配列された複数の電極１６１とが、一方の基板１１の側から他方の基板１６の側に向かう方向に見て当該順序で設けられている。ここで、本件の明細書において「表示領域」とは、反射型表示装置において所望の表示に利用される領域、という意味である。
【００２０】
本実施の形態では、一方の基板１１が視認側に配置され、他方の基板１６が非視認側に配置される。
【００２１】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１１１として、酸化インジウムスズ（ＩＴＯ）、酸化亜鉛（ＺｎＯ）、酸化スズ（ＳｎＯ）等の透光性電極を付したものが、典型的に用いられ得る。
【００２２】
共通電極１１１は、塗工法やスパッタリング、真空蒸着法、ＣＶＤ法等によって、少なくとも一方の基板１１の表示領域を覆うように形成される。共通電極１１１は、必ずしもパターンが形成されている必要は無く、基板全面が電極であってもよい。
【００２３】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００２４】
一方の基板１１は、ロール状でもシート状でもどちらでも適用可能である。
【００２５】
他方の基板１６としては、樹脂フィルム、樹脂板、ガラス、エポキシガラス（ガラエポ）等の表示媒体側の面に金属等の導電性材料によって画素電極１６１が形成されたものが用いられ得る。本実施の形態の画素電極１６１は、図２を用いて後述するように、いわゆるセグメント電極である。
【００２６】
また他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００２７】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００２８】
他方の基板１６も、ロール状でもシート状でもどちらでも適用可能である。
【００２９】
本実施の形態では、図２に示すように、いわゆる７セグメント表示とその背景表示に対応する８個のセグメント電極１６１（ａ〜ｈ）が、他方の基板１６の表示領域を網羅するように配置されている。もっとも、ｍ×ｎ個の画素に個別に対応するｍ×ｎ個のセグメント電極１６１の配置や、他の所定の表示パターンを提供する他の配置も、採用され得る。そして、本実施の形態の各セグメント電極１６１（ａ〜ｈ）は、図１及び図２に示すように、信号線ドライバ２０を介して、信号生成部２１に接続されている。
【００３０】
図１に戻って、本実施の形態の表示媒体層１５は、一方の基板１１と他方の基板１６との間において複数のセルを区画する隔壁１２を有している。ここで、「セル」とは、電気応答性材料の沈降や偏在に起因して表示の不良、特にコントラストの低下を防止するべく上下の電極基板１１，１６間において分割された、電気泳動する電気応答性材料の微小な泳動空間、すなわち移動空間を意味する。なお、当該移動空間は、マイクロカプセル等、他の構造物によって分割されてもよい。また、電気応答性材料の沈降や偏在の虞が低い場合には、上下の電極基板１１，１６間の空間は、このような構造物によって分割されていなくてもよい。
【００３１】
隔壁１２は、紫外線硬化樹脂、熱硬化樹脂、常温硬化樹脂等によって構成可能であり、隔壁１２の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００３２】
隔壁１２の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点の距離を意味している。
【００３３】
もっとも、隔壁１２で形成されるセルの形状は、必ずしも全てのセルで同じでなくてもよい。例えば、ランダムな形状の複数の多角形からなるパターンも採用され得る。
【００３４】
隔壁１２の高さは、５〜５０μｍ、好ましくは１０〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０〜５０μｍの範囲の高さが好適である。
【００３５】
隔壁１２の頂面と、他方の基板１６上の電極１６１または他方の基板１６上の他の要素または他方の基板１６と、の間には、隔壁１２の頂面と、他方の基板１６上の電極１６１または他方の基板１６上の他の要素または他方の基板１６と、を接着させるための接着層（不図示）が設けられていてもよい。
【００３６】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００３７】
接着層を形成するための接着剤としては、熱可塑性材料を用いた接着剤が好ましく、加熱により軟化して、冷却すると固化する性質を有し、冷却と加熱を繰り返した場合に、塑性が可逆的に保たれる材料である。
【００３８】
具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００３９】
隔壁１２と接着剤との密着性を上げるために、隔壁１２に紫外線照射やプラズマ処理などにより表面処理が施されてもよいし、プライマーが形成されてもよい。あるいは、接着剤の方にシランカップリング剤が添加されてもよい。
【００４０】
表示媒体１３は、少なくとも１種以上の電気応答性材料を含んでいる。電気応答性材料としては、電荷粒子材料、液晶材料があり、電荷粒子材料には白や黒、カラーなどの色づけされた粒子が電場に応答して移動するいわゆる電気泳動材料、または、粒子が二色に色分けされ電場により回転するツイストボールに代表される材料、または、電場により移動するナノ粒子材料等がある。一方、液晶材料は、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料や、液晶に色素を混合した材料、コレステリック液晶材料などがある。
【００４１】
本実施の形態においては、表示媒体１３は、白の電気応答性材料と黒の電気応答性材料を含んでおり、白の電気応答性材料は、負に帯電されており、黒の電気応答性材料は、正に帯電されている。これにより、セグメント電極１６１に共通電極１１１よりも低い電位が印加されると、負に帯電した白の電気応答性材料が共通電極１１１の側に引き寄せられ、表示媒体１３中の正に帯電した黒の電気応答性材料がセグメント電極１６１の側に引き寄せられるようになっている。また、セグメント電極１６１に共通電極１１１よりも高い電位が印加されると、負に帯電した白の電気応答性材料がセグメント電極１６１の側に引き寄せられ、表示媒体１３中の正に帯電した黒の電気応答性材料が共通電極１１１の側に引き寄せられるようになっている。
【００４２】
また、図１及び図２に示すように、信号生成部２１が、制御部２２からの表示書き換えの実行命令に基づいて駆動シーケンス（駆動信号）を生成するようになっている。また、本実施の形態では、温度検出部２４が、表示媒体１３の温度に適した駆動シーケンスを決定するための温度、および、駆動シーケンスに従って電圧を印加して表示書き換えを行うか否かを判定するための温度を検出するために設けられ、制御部２２に接続されている。
【００４３】
本実施の形態では、温度検出部２４が、一例として、反射型表示装置の外観を構成する筐体の内部に収容された信号生成部２１等が設けられる回路基板（図示省略）に設けられており、温度検出部２４は、前記筐体の内部における回路基板の周囲の温度を検出するようになっている。なお、本実施の形態では、温度検出部２４によって筐体の内部における回路基板の周囲の温度を検出するが、他の態様として、温度検出部２４は、例えば、基板１１や基板１６の温度を検出してもよい。また、温度検出部２４は、反射型表示装置の外部環境の温度を検出してもよい。
【００４４】
しかしながら、上述のように温度検出部２４が表示媒体１３の温度を直接的に検出しない構成であると、反射型表示装置の外部環境の温度の温度変化が急激である場合に、温度検出部２４が検出する温度は急激な温度変化に追従しているにもかかわらず、表示媒体１３の温度は急激な温度変化に追従していないことがある。そのため、表示媒体１３の温度と温度検出部２４の検出した温度とに差が生じ、温度検出部２４が検出した温度に基づき決定された駆動シーケンスに従って電圧が印加されると、表示媒体１３の温度にとっては、印加される電圧が過剰に大きかったり、逆に過剰に小さかったりする場合がある。そのため、本実施の形態では、温度検出部２４および制御部２２が、以下で説明するような処理を行っている。
【００４５】
すなわち、図４に示すように、表示書き換えの所望の実行タイミングに先行するタイミングで、本実施の形態の温度検出部２４は、筐体の内部における回路基板の周囲の温度を第１の温度として検出するとともに（ステップＳ１０１）、第１の温度の検出から第１の所定時間（例えば、５秒）の経過後に、筐体の内部における回路基板の周囲の温度を第２の温度として再検出するようになっている（ステップＳ１０２）。
【００４６】
そして、本実施の形態の制御部２２は、第１の温度の情報及び第２の温度の情報を温度検出部２４から取得するとともに、第１の温度と第２の温度との差（絶対値）が、所定の範囲（例えば、０℃以上３℃以下の範囲）内であるか否かを判定するようになっている（ステップＳ１０３）。
【００４７】
そして、制御部２２は、所定の範囲内であると判定した場合には、当該第２の温度の情報と共に表示書き換えの実行命令を信号生成部２１に出力するようになっている。信号生成部２１は、当該第２の温度の情報に基づいて駆動シーケンス（駆動信号）を生成し、信号線ドライバ２０を介して各セグメント電極１６１に電圧を印加するようになっている（ステップＳ１０４）。
【００４８】
一方、制御部２２は、前記判定の際に所定の範囲内であると判定しなかった場合には、表示書き換えを行わない、すなわち、表示書き換えの実行命令を信号生成部２１に出力せずに、表示書き換えをスキップさせるようになっている。この場合、温度検出部２４は、第２の温度の検出から第２の所定時間（例えば、５秒）の経過後に、筐体の内部における回路基板の周囲の温度を第３の温度として再検出するようになっている（ステップＳ１０５）。そして、制御部２２は、第３の温度の情報を取得し、前記第１の温度に前記第２の温度を置き換えるとともに、前記第２の温度に前記第３の温度を置き換えて（ステップＳ１０６）、前記の判定を再実行するようになっている（ステップＳ１０３）。
【００４９】
制御部２２から表示書き換えの実行命令を出力された信号生成部２１は、各セグメント電極１６１への電圧印加の要／不要と、要の場合の符号と、についても判別する。そして、電圧印加が要であって正であるセグメント電極１６１に対しては、信号生成部２１で生成された基準電位に対してより高い電位の駆動信号が印加されるようになっており、電圧印加が要であって負であるセグメント電極１６１に対しては、信号生成部２１で生成された基準電位に対してより低い電位の駆動信号が印加されるようになっている。また、電圧印加が不要であるセグメント電極１６１に対しては、基準電位の印加が継続されるようになっている。もっとも、本実施の形態において基準電位の印加が継続されるとしたセグメント電極１６１については、ＧＮＤ電位の印加が継続されてもよい。その場合には、電圧印加が要であるセグメント電極１６１に対して、ＧＮＤ電位に対して正の駆動信号／負の駆動信号が印加され得る。
【００５０】
図３（Ａ）には、温度検出部２４が検出した温度（本実施の形態では、筐体の内部における回路基板の周囲の温度）が２０℃の場合の駆動シーケンスである正の駆動信号及び負の駆動信号が示されている。正の駆動信号とは、相対的に基準電位よりも高い電圧による駆動信号である。図３（Ａ）に示す温度検出部２４が検出した温度が２０℃の場合の正の駆動信号によれば、相対的に基準電位よりも高い第１電位＋Ｖの信号が所定時間ｔ１だけ印加される。一方、負の駆動信号とは、相対的に基準電位よりも低い電圧による駆動信号である。図３（Ａ）に示す温度検出部２４が検出した温度が２０℃の場合の負の駆動信号によれば、相対的に基準電位よりも低い第１電位−Ｖの信号が所定時間ｔ１だけ印加される。
【００５１】
また、図３（Ｂ）には、温度検出部２４が検出した温度が−２０℃の場合の駆動シーケンスである正の駆動信号及び負の駆動信号が示されている。図３（Ｂ）に示す温度検出部２４が検出した温度が−２０℃の場合の正の駆動信号によれば、相対的に基準電位よりも高い第１電位＋Ｖの信号が所定時間ｔ１だけ印加される印加状態が微小時間（例えば、ｔ１／２）を空けて３回繰り返される。一方、図３（Ｂ）に示す温度検出部２４が検出した温度が−２０℃の場合の負の駆動信号によれば、相対的に基準電位よりも低い第１電位−Ｖの信号が所定時間ｔ１だけ印加される印加状態が微小時間（例えば、ｔ１／２）を空けて３回繰り返される。
【００５２】
また、図３（Ｃ）には、温度検出部２４が検出した温度が−３０℃の場合の駆動シーケンスである正の駆動信号及び負の駆動信号が示されている。図３（Ｃ）に示す温度検出部２４が検出した温度が−３０℃の場合の正の駆動信号によれば、相対的に基準電位よりも高い第１電位＋Ｖの信号が所定時間ｔ１だけ印加される印加状態が微小時間（例えば、ｔ１／２）を空けて５回繰り返される。一方、図３（Ｃ）に示す温度検出部２４が検出した温度が−３０℃の場合の負の駆動信号によれば、相対的に基準電位よりも低い第１電位−Ｖの信号が所定時間ｔ１だけ印加される印加状態が微小時間（例えば、ｔ１／２）を空けて５回繰り返される。
【００５３】
すなわち、本実施の形態の駆動シーケンスは、温度検出部２４が検出した温度が低い程、電位＋Ｖの信号または電位−Ｖの信号が印加される合計時間が長い。電位＋Ｖの信号または電位−Ｖの信号が印加される合計時間は、所定時間ｔ１の回数で規定されている。なお、図３には、３つの温度を示したが、他の温度においても同様に規定され得る。例えば、温度検出部２４が検出した温度が０℃の場合の駆動シーケンスは、電位が印加される合計時間が例えば累積で１．５×ｔ１となるように規定され得る。この場合、駆動シーケンスは、１．５×ｔ１だけ電圧が１回印加されてもよいし、ｔ１と１／２ｔ１との２回に分けて電圧が印加されてもよい。
【００５４】
なお、図５（Ａ）〜（Ｃ）には、駆動シーケンスの変形例が示されている。同図に示す駆動シーケンス（駆動信号）では、電位＋Ｖの信号または電位−Ｖの信号が連続的に印加され、温度検出部２４が検出した温度が低い程、印加時間が長い。
【００５５】
次に、図４は、本発明の一実施の形態による表示書き換え処理の一例を示すフロー図である。
【００５６】
本実施の形態における表示書き換え処理では、まず、表示書き換えの所望の実行タイミングに先行するタイミングでステップＳ１０１において、温度検出部２４が、筐体の内部における回路基板の周囲の温度を第１の温度（Ｔ１）として検出する。
【００５７】
次に、ステップＳ１０２においては、温度検出部２４が第１の温度の検出から第１の所定時間（Ｘ１、例えば、５秒）の経過後に、筐体の内部における回路基板の周囲の温度を第２の温度（Ｔ２）として再検出する。
【００５８】
そして、ステップＳ１０３において制御部２２は、第１の温度（Ｔ１）の情報及び第２の温度（Ｔ２）の情報を温度検出部２４から取得するとともに、第１の温度（Ｔ１）と第２の温度（Ｔ２）との差（Ｔｓ）が、所定の範囲（ＴＨ、例えば０℃以上３℃以下の範囲）内であるか否かを判定する。
【００５９】
そして、ステップＳ１０３において所定の範囲内（ＴＨ）であると判定した場合には、ステップＳ１０４において制御部２２は、第２の温度（Ｔ２）の情報と共に表示書き換えの実行命令を、信号生成部２１に出力する。これにより、信号生成部２１は、当該第２の温度の情報に基づいて駆動シーケンス（駆動信号）を生成し、信号線ドライバ２０を介して各セグメント電極１６１に電圧を印加する。
【００６０】
一方、ステップＳ１０３において所定の範囲（ＴＨ）内であると判定しなかった場合、制御部２２は、表示書き換えを行わない、すなわち、表示書き換えの実行命令を信号生成部２１に出力せずに、表示書き換えをスキップさせる。この場合、ステップＳ１０５において温度検出部２４は、第２の温度の検出から第２の所定時間（Ｘ２、例えば、５秒）の経過後に、筐体の内部における回路基板の周囲の温度を第３の温度（Ｔ３）として再検出する。
【００６１】
そして、ステップＳ１０６において制御部２２は、第３の温度（Ｔ３）の情報を取得し、第１の温度（Ｔ１）に第２の温度（Ｔ２）を置き換えるとともに、第２の温度（Ｔ２）に第３の温度（Ｔ３）を置き換えてステップＳ１０３に戻る。
【００６２】
以上に記載した本実施の形態によれば、第１の所定時間（Ｘ１）を挟んで２つの時点で筐体の内部における回路基板の周囲の温度が検出され、それら第１の温度（Ｔ１）と第２の温度（Ｔ２）との差（Ｔｓ）が所定の範囲（ＴＨ）内であるか否かを判定することにより、反射型表示装置の外部環境の温度変化の程度を判定し、所定の範囲（ＴＨ）内と判定されるときには温度変化が急激ではないと判定して書き換えを行うが、所定の範囲（ＴＨ）内と判定されないときには温度変化が急激であると判定して書き換えを行わないで（スキップして）、温度変化が収まる（温度が安定する）のを待つ。これにより、表示書き換え時に、反射型表示装置の表示媒体１３の温度にとって、過大ないし過小な電圧が印加されることを防止することができる。この結果、反射型表示装置の劣化を抑制でき、また、良好な表示書き換えを行うことができる。
【００６３】
なお、本実施の形態においては、所定の範囲（ＴＨ）として０℃以上３℃以下の範囲を例として挙げたが、所定の範囲（ＴＨ）は、これに限定されるものではない。しかしながら、所定の範囲（ＴＨ）は、最大値５℃以下に設定されることが好ましい。理由としては、５℃よりも差が大きいと、表示媒体１３の温度が反射型表示装置の外部環境の温度変化に追従しておらず、表示媒体１３の温度と温度検出部２４が検出した温度との温度差が大きい可能性が高く、温度検出部２４が検出した温度に基づき決定した駆動シーケンスに従って電圧を印加すると、印加される電圧が過剰に大きく反射型表示装置の劣化が進行し、あるいは、印加される電圧が過剰に小さく良好な表示書き換えを行うことができない可能性が高いからである。また、所定の範囲（ＴＨ）は、０℃以上３℃以下の範囲に設定することがより好ましい。この理由としては、当該範囲であれば、温度検出部２４が検出した温度に基づき決定した駆動シーケンスに従って電圧を印加したとしても、反射型表示装置は大きな負荷を受けず、また、良好な表示書き換えを行うことができると考えられるからである。
【００６４】
また、本実施の形態においては、第１の温度（Ｔ１）の検出のタイミングと第２の温度（Ｔ２）の検出のタイミングとの間隔である第１の所定時間（Ｘ１）、及び、第２の温度（Ｔ２）の検出のタイミングと第３の温度（Ｔ３）の検出のタイミングとの間隔である第２の所定時間（Ｘ２）が、それぞれ５秒である例を挙げたが、第１の所定時間（Ｘ１）及び第２の所定時間（Ｘ２）は、これに限定されるものではない。しかしながら、第１の所定時間（Ｘ１）及び第２の所定時間（Ｘ２）は、最大で１０秒に設定されることが好ましい。理由としては、第１の所定時間（Ｘ１）及び第２の所定時間（Ｘ２）が１０秒よりも長く設定されると、急激な温度変化を検出することが困難と考えられるからである。
【００６５】
また、第１の所定時間（Ｘ１）及び第２の所定時間（Ｘ２）は、最小で0.1秒に設定されることが好ましい。理由としては、第１の所定時間（Ｘ１）及び第２の所定時間（Ｘ２）が0.1秒よりも短く設定されると、第１の温度の検出前に反射型表示装置の外部環境の温度に急激な温度変化があった場合に、表示媒体１３の温度が未だ第１の温度の検出前の急激な温度変化に追従しておらず、表示媒体１３の温度と温度検出部２４が検出した温度との温度差が大きい可能性が高く、温度検出部２４が検出した温度に基づき決定した駆動シーケンスに従って電圧を印加すると、印加される電圧が過剰に大きく反射型表示装置の劣化が進行し、あるいは、印加される電圧が過剰に小さく良好な表示書き換えを行うことができない可能性が高いからである。
【００６６】
また、第１の所定時間（Ｘ１）及び第２の所定時間（Ｘ２）は、同じ長さであることが好ましい。このように同じ長さである場合には、所定の範囲（ＴＨ）が固定されていたとしても、当該所定の範囲（ＴＨ）であるか否かの判定を、常時同じ基準で判定することができ、判定の信頼性が向上するからである。
【００６７】
なお、仮に、第１の所定時間（Ｘ１）と第２の所定時間（Ｘ２）とを異なる時間とする場合には、ステップＳ１０３において、第１の温度（Ｔ１）と第２の温度（Ｔ２）との差の代わりに、当該差の単位時間当たりの変化量について、所定の範囲（ＴＨ’）内であるか否かを判定することが好ましい。この場合、前記所定の範囲（ＴＨ’）は、例えば、０〜１．０℃／秒（すなわち、第１の所定時間（Ｘ１）が５秒で、所定の範囲（ＴＨ）が０℃以上５℃以下の範囲に相当）等とすればよい。この場合、例えば、第１の所定時間（Ｘ１）と第２の所定時間（Ｘ２）とが異なっていても、第１の温度（Ｔ１）と第２の温度（Ｔ２）との差の評価を常時同じ基準で判定することができる。
【００６８】
（実施例）
次に、本発明の実施例を説明する。
【００６９】
本実施例では、本発明による反射型表示装置が、制御部２２によって定期的に表示を書き換えるように制御されており、具体的には、初回の表示書き換えの完了から１０秒後に次の表示書き換えが開始され、この表示書き換えの完了から１０秒後にその次の表示書き換えが開始されるように制御されている。より詳しくは、制御部２２は、表示書き換えの完了から４．９９５秒後に温度検出部２４によって第１の温度（Ｔ１）の検出が行われ、その５秒後に第２の温度（Ｔ２）の検出が行われ、その微小時間（例えば、０．００５秒）後に、表示書き換えが開始されるように、表示書き換え前に第１の温度（Ｔ１）と第２の温度（Ｔ２）との差を判定するようになっている。また、第１の温度（Ｔ１）と第２の温度（Ｔ２）との差が所定の範囲（ＴＨ）内ではなかった場合の第３の温度（Ｔ３）の検出は、第２の温度（Ｔ２）の検出から５秒後に行われるようになっている。
【００７０】
本実施例では、試験１として、２３℃の環境において表示書き換えを完了したこのような反射型表示装置を、次の表示書き換えが開始される直前に−２０℃の環境へ移動させた。この場合、第１の温度（Ｔ１）として２３℃が検出され、第２の温度（Ｔ２）として−２０℃が検出され、表示書き換えが行われなかった。その後、第３の温度（Ｔ３）が検出され、温度変化が安定したことが判定された後、−２０℃に対応する駆動シーケンスに従って電圧が印加された。この際、コントラスト１０の良好な表示書き換えが行われたことを確認できた。
【００７１】
また、試験２として、−２０℃の環境において表示書き換えを完了した反射型表示装置を、次の表示書き換えが開始される直前に２３℃の環境へ移動させた。この場合、第１の温度（Ｔ１）として−２０℃が検出され、第２の温度（Ｔ２）として２３℃が検出され、書き換えが行われなかった。その後、第３の温度（Ｔ３）が検出され、温度変化が安定したことが判定された後、２３℃に対応する駆動シーケンスに従って電圧が印加されることで、コントラスト１０の良好な表示書き換えが行われたことを確認できた。また、この試験２を１００サイクル繰り返した後の、実施例の反射型表示装置の表示性能を確認したところ、特に劣化はなく良好であることが確認できた。
【００７２】
一方、比較例として、表示書き換えの直前に検出された環境の温度に基づき駆動シーケンスを決定し、そのまま表示書き換えを行う従来の反射型表示装置に対して、試験１と同様の試験を実施したところ、コントラスト１２の良好な表示書き換えが行われた。しかし、この試験１を１００サイクル繰り返した後の比較例の反射型表示装置の表示性能を確認したところ、部分的に表示が行えなくなる部分が発生していた、すなわち、表示の劣化が確認された。また、試験２と同様の試験を実施したところ、コントラスト５の良好とはいえない表示書き換えが行われたことが確認された。
【符号の説明】
【００７３】
１１  基板
１３  表示媒体
１５  表示媒体層
１６  基板
２０  信号ドライバ
２１  信号生成部
２２  制御部
２４  温度検出部
１１１  電極
１６１  電極
【図１】
2016014835.tif 000003
【図２】
2016014835.tif 000004
【図３】
2016014835.tif 000005
【図４】
2016014835.tif 000006
【図５】
2016014835.tif 000007